(57)【要約】【課題】薬剤を用いることなく、しかも消費電力も増大させることなく、その上既設の設備をほとんど改修することなく既に付着している汚れを落とすことができ、しかも汚れの再発予防もなし得る給水方法および給水システムを提供する。【解決手段】本発明は、貯留部つまり上部受水槽１１に忠海セラミックスを浸漬させ、貯留水に前記忠海セラミックスによる影響を与えた後に小便器１２に給水をなし、当該小便器１２に付着している尿石を除去するものである。この場合、小便器１２から発生している尿素系臭気も併せて除去される。【選択図】図１
2015055032.tif 000002
【特許請求の範囲】
【請求項１】
貯留部に忠海セラミックスを浸漬させ、貯留水に前記忠海セラミックスによる影響を与えた後に所定箇所に給水をなし、当該給水箇所および／または配管に付着している付着物を除去することを特徴とする給水方法。
【請求項２】
給水対象物から発生する臭気も除去することを特徴とする請求項１記載の給水方法。
【請求項３】
給水対象物が男子小便器とされ、付着物が尿石とされてなることを特徴とする請求項１記載の給水方法。
【請求項４】
臭気が尿素系臭気とされてなることを特徴とする請求項２記載の給水方法。
【請求項５】
給水対象が吸収冷温水機の冷却水配管系とされ、付着物が配管内のスケールおよび／または赤錆とされてなることを特徴とする請求項１記載の給水方法。
【請求項６】
給水対象が冷却水配管系の冷却水ポンプとされてなることを特徴とする請求項５記載の給水方法。
【請求項７】
給水対象が飲料水系配管とされ、付着物が食洗機に付着しているスケールとされてなることを特徴とする請求項１記載の給水方法。
【請求項８】
忠海セラミックスを貯留水と接触可能な状態に収納した収納体を貯留部に設け、貯留水に前記忠海セラミックスによる影響を与えた後に所定箇所に給水をなし、当該給水箇所および／または配管に付着している付着物を除去することを特徴とする給水システム。
【請求項９】
給水対象物から発生する臭気も除去することを特徴とする請求項８記載の給水システム。
【請求項１０】
給水対象物が男子小便器とされ、付着物が尿石とされてなることを特徴とする請求項８記載の給水システム。
【請求項１１】
臭気が尿素系臭気とされてなることを特徴とする請求項９記載の給水システム。
【請求項１２】
給水対象が吸収冷温水機の冷却水配管系とされ、付着物が配管内のスケールおよび／または赤錆とされてなることを特徴とする請求項８記載の給水システム。
【請求項１３】
給水対象が冷却水配管系の冷却水ポンプとされてなることを特徴とする請求項１２記載の給水システム。
【請求項１４】
給水対象が飲料水系配管とされ、付着物が食洗機に付着しているスケールとされてなることを特徴とする請求項８記載の給水システム。
【請求項１５】
収納体が、主部がパンチングメタルで形成されたボックスとされてなることを特徴とする請求項８記載の給水システム。
【発明の詳細な説明】
【技術分野】
【０００１】
本発明は給水方法および給水システムに関する。さらに詳しくは、給水しながら洗浄剤を用いることなく汚れを落とすことができ、しかも汚れの再発予防もなし得る給水方法および給水システムに関する。
【背景技術】
【０００２】
従来より、トイレの洗浄においてはトイレ用洗浄剤を用いた洗浄が一般的になされている。
【０００３】
しかしながら、従来一般的になされている洗浄には次のような問題がある。すなわち、１）充分な洗浄効果が得られていない、２）洗浄時に汚染物質が除去されてもその後すぐに汚染物が付着する、３）洗浄に使用された洗剤が環境に悪影響を与えている、というような問題がある。
【０００４】
かかる従来のトイレ洗浄における問題を解決すべく、特許文献１には、いわゆるナノマイクロバブルを含む水による洗浄方法および洗浄システムが提案されている。
【０００５】
なるほど、前記特許文献１の提案においては、洗剤を用いることなく洗浄がなし得るが、その代わりにナノマイクロバブル発生装置が必要となる、という別の問題が生じている。また、ナノマイクロバブル発生装置を用いているところから、消費電力が増大するという問題もある。とりわけ、原子力発電が停止し、電気代が高騰しているところから、消費電力が増大は消費者に受け入れられがたい。
【先行技術文献】
【特許文献】
【０００６】
【特許文献１】特開２０１０−９４６０８号公報
【発明の開示】
【発明が解決しようとする課題】
【０００７】
本発明はかかる従来技術の課題に鑑みなされたものであって、洗剤を用いることなく、しかも消費電力も増大させることなく、その上既設の設備をほとんど改修することなく既に付着している汚れを落とすことができ、しかも汚れの再発予防もなし得る給水方法および給水システムを提供することを目的としている。
【課題を解決するための手段】
【０００８】
本発明の給水方法は、貯留部に忠海セラミックスを浸漬させ、貯留水に前記忠海セラミックスによる影響を与えた後に所定箇所に給水をなし、当該給水箇所および／または配管に付着している付着物を除去することを特徴とする。
【０００９】
本発明の給水方法においては、給水対象物から発生する臭気も除去するのが好ましい。
本発明の給水システムは、忠海セラミックスを貯留水と接触可能な状態に収納した収納体を貯留部に設け、貯留水に前記忠海セラミックスによる影響を与えた後に所定箇所に給水をなし、当該給水箇所および／または配管に付着している付着物を除去することを特徴とする。
【００１０】
本発明の給水システムにおいては、給水対象物から発生する臭気も除去するのが好ましい。
【００１１】
しかして、本発明における給水対象および付着物は、例えば、以下のとおりとされる。
すなわち、給水対象物が男子小便器とされ、付着物が尿石とされる。その場合、臭気は尿素系臭気とされる。
【００１２】
あるいは、給水対象が吸収冷温水機の冷却水配管系とされ、付着物が配管内のスケールおよび／または赤錆とされる。その場合、給水対象には冷却水配管系の冷却水ポンプも含まれる。
【００１３】
あるいは、給水対象が飲料水系配管とされ、付着物が食洗機に付着しているスケールとされる。
【００１４】
ここで、収納体は、例えば、主部がパンチングメタルで形成されたボックスとされる。
【発明の効果】
【００１５】
本発明は前記の如く構成されているので、既設設備をほとんど改修することなく、給水対象物に付着している尿石やスケールなどの付着物を除去できるという優れた効果を奏する。
【００１６】
また、本発明の好ましい形態によれば、給水対象がら発生する尿素系臭気などの臭気も除去できるという優れた効果を奏する。
【図面の簡単な説明】
【００１７】
【図１】本発明の給水方法が適用された実施形態１の給水システムの概略図である。
【図２】同給水システムに用いられている忠海セラミックスの二面図である。
【図３】同給水システムに用いられている忠海セラミックスが充填されたボックスの正面図である。
【図４】同平面図である。
【図５】同長手方向断面図である。
【図６】ビル内の男子トイレ便器の写真であって、同(ａ)は忠海セラミックス影響水供給前の状態を示し、同(ｂ)は忠海セラミックス影響水供給後の状態を示す。
【図７】本発明の給水方法が適用された実施形態２の給水システムの概略図である。
【図８】試験区と対照区の配管内の状態の変化を示す写真であって、同(ａ)は試験開始から４０日経過後のものを示し、同(ｂ)は試験開始から７０日経過後のものを示す。
【図９】冷却水ポンプハウジング内の状態を示す写真であって、同(ａ)は試験開始前の赤錆が付着している状態を示し、同(ｂ)は試験開始から１年経過後の赤錆が除去されて黒錆化した状態を示す。
【図１０】本発明の給水方法が適用された実施形態３の給水システムの概略図である。
【図１１】同実施形態が適用された大型食洗機の内部写真であって、同(ａ)は忠海セラミックス影響水が供給される前の状態を示し、同(ｂ)は忠海セラミックス影響水が供給された後の状態を示す。
【発明を実施するための形態】
【００１８】
以下、添付図面を参照しながら本発明を実施形態に基づいて説明するが、本発明はかかる実施形態のみに限定されるものではない。
【００１９】
実施形態１
図１に、本発明の実施形態１に係る給水方法に適用される給水システム１０を概略図で示す。給水システム１０は、図１に示すように、給水対象物をトイレとしてなるシステムとされ、上部受水槽１１と、上部受水槽１１から洗浄水が供給される複数の便器１２，１３と、便器１２，１３からの排水を浄化する浄化槽１４と、配管とを備えてなるものとされる。
【００２０】
なお、上部受水槽１１自体、便器１２，１３、浄化槽１４および配管は従来と同様とされているので、以下の説明においては従来と同様の構成要素については、その説明は必要最小限度に留めるものとする。
【００２１】
上部受水槽１１には、上方から水道水が供給されるようにされるとともに、忠海セラミックス（有限会社コズミックの商品名、商標登録第５３１４３７７号）が充填されたボックス２０が上水道の吐出口下方に、例えば既設の点検梯子を利用して吊り下げられて配設されている。なお、上部受水槽１１のサイズは、本実施形態では８ｍ３程度とされ、ボックス２０に充填されているセラミックスの重量は２ｋｇ程度とされている。
【００２２】
充填される忠海セラミックスは、図２に示すように、円柱状とされている。円柱のサイズは、直径Ｄが１５ｍｍとされ、高Ｈさが１２ｍｍとされている。ただし、円柱のサイズは、前記に限定されるものではなく、直径Ｄは１４ｍｍ        から１６ｍｍの範囲で適宜とでき、高さＨは１０ｍｍから１８ｍｍの範囲で適宜とできる。ただし、単位重量当たりの水との接触面積が大きくなるよう、つまり表面積が大きくなるようできるだけ小粒とされるのが好ましい。
【００２３】
ボックス２０は、図３−５に示すように、中空四角柱状とされ、またボックス２０の材質は、水による腐食を避ける観点からステンレスとされている。ボックス２０の主部は、パンチングメタル２１を四角形の筒状にしてなるものとされ、下端に底部材２２が配設され、上端に蓋２３が配設されている。
【００２４】
主部のサイズは、本実施形態では、一辺の長さが８５ｍｍの正四角形とされ、高さが３００ｍｍとされて、前記サイズとされた忠海セラミックスが前述したように２ｋｇ、数量にして４１５個程度が収納される。つまり、本実施形態では忠海セラミックスは貯水量１立方メートル当たり２５０ｇとなるようにされている。
【００２５】
パンチングメタ２１の孔径は１０ｍｍとされ、ピッチ１３ｍｍの碁盤目配列とされる。パンチングメタ２１の孔径およびピッチは前記に限定されるものではなく、開口率が４０％ないし７０％の範囲において適宜とできる。また、孔の配列は碁盤目配列に限定されるものではなく、例えば千鳥配列とすることもできる。
【００２６】
底部材２２は、図示の如く上部が開放された箱型状とされ、底面中央にスタッドボルト２４が植設されている。底部材２２の内寸は、主部の外寸と実質的に同寸とされて主部の下端が底部材２２内の収まるようにされている。スタッドボルト２４は、蓋２３から所定長さ突出するようその寸法が調整されている。
【００２７】
蓋２３は、図示の如く下部が開放された箱型状とされ、中央にスタットボルト２４が貫通する透孔２３ａが形成されている。蓋２３の内寸は、主部の外寸と実質的に同寸とされて主部の上端が蓋２３内の収まるようにされている。スタッドボルト２４の蓋２３から突出している部分にはアイナット２５が螺着されている。また、アイナット２５にはボックス２０を上部受水槽１１に吊り下げるための鎖(図示省略)が装着されている。アイナット２５および鎖は腐食を避ける観点からステンレス製とされている。
【００２８】
なお、ボックス２０は角型に限定されるものではなく、適宜とでき例えば円筒とすることもできる。また、主部はパンチングメタル２１により形成される必要はなく、例えば適宜補強された金網とすることもできる。
【００２９】
このようにして忠海セラミックスが浸漬され当該セラミックスにより影響を受けた水（以下、忠海セラミックス影響水という）を洗浄水として定法により供給したところ、数週間で小便器１２に付着している尿石などの付着部が除去されて小便器１２がきれいになった。また、尿素系の臭気も消滅した。その後、前記忠海セラミックス影響水の使用を継続したところ、尿石などの付着や臭気の発生は認められなかった。
【００３０】
このように、本実施形態によれば、高圧水や薬剤などを使用することなく便器１２，１３の洗浄がなし得るとともに、汚れの再発が防止される。
【００３１】
なお、忠海セラミックス影響水により前述したような効果が得られるメカニズムは、いまのところ解明されていない。
【００３２】
以下、より具体的な実施例に基づいて、本発明をより具体的に説明する。
【００３３】
実施例１
ビル内の設置された男子トイレ便器に忠海セラミックス影響水を定法にて供給したところ、尿素系の臭気は供給後１４日で消滅した。また、便器に付着していた尿石は供給後２５日で消滅した。さらに、経年の汚れも供給後４０日でなくなり便器が白くなった(図６参照)。
【００３４】
実施形態２
図７に、本発明の実施形態２に係る給水方法に適用される給水システム１０を概略図で示す。給水システム１０は、図７に示すように、給水対象物をビルの空調に使用される吸収冷温水機Ｒの冷却部(図示省略)に冷却水を供給するシステム(冷却水供給システム)３０とされ、吸収冷温水機Ｒの冷却部を冷却した後の冷却水を冷却する空冷式冷却塔３１と、冷却水給水ポンプ３２と、配管を備えてなるものとされる。
【００３５】
空冷式冷却塔３１、冷却水給水ポンプ３２および配管は従来と同様とされているので、以下の説明においては従来と同様の構成要素については、その説明は必要最小限度に留めるものとする。
【００３６】
本実施形態においては、空冷式冷却塔３１の下部の冷却水を貯留する冷却水貯留部３１ａに忠海セラミックスを充填したボックス２０が浸漬されている。ボックス２０に充填されている忠海セラミックスは実施形態１と同一形状とされている。
【００３７】
このようにして忠海セラミックスが浸漬され当該セラミックスにより影響を受けた水を冷却水として供給したところ、数週間で鉄製の冷却水配管の内面に付着しているスケールが減少したばかりでなく、配管内面に黒錆の形成が認められた。その後、忠海セラミックス影響水を冷却水として供給を継続したが、再度のスケールの配管内面への付着・形成は認められなかった(図８参照)。また、冷却水給水ポンプ３２のハウジング内の赤錆も除去されて黒錆化が実現された(図９参照)。その結果、冷却水給水ポンプ３２の消費電力が約２割程度削減された。さらに、機器を腐食させるおそれが少ないなどの理由から、空冷式冷却塔３１のブロー水量が約３割削減された。
【００３８】
なお、忠海セラミックス影響水により前述したような効果が得られるメカニズムは、いまのところ解明されていない。
【００３９】
実施形態３
図１０に、本発明の実施形態３に係る給水方法に適用される給水システム１０を概略図で示す。給水システム１０は、図１０に示すように、給水対象物をホテルの飲料水系統としてなるシステム(飲料水供給システム)４０とされ、受水槽４１と、受水槽４１からの給水を受けるホテルの屋上に配設された高置水槽４２と、給水ポンプ４３を有する配管とを備え、高置水槽４２から各室および各施設に給水されるようにされている。
受水槽４１の総容量は６３ｍ３とされ、使用される忠海セラミックスは１２ｋｇとされている。つまり、本実施形態では、忠海セラミックスは受水量１立方メートル当たり１９０ｇとなるようにされている。
【００４０】
図１１に、忠海セラミックス影響水を約２か月供給した後の大型自動食洗機の状態を、忠海セラミックス影響水の供給前の状態と比較して示す。
図１１に示すように、特段の洗浄を実施しなかったにもかかわらず、スケールが消失しているのが理解される。
【００４１】
なお、忠海セラミックス影響水により前述したような効果が得られるメカニズムは、いまのところ解明されていない。
【００４２】
以上、本発明を実施形態に基づいて説明してきたが、本発明はかかる実施形態のみに限定されるものではなく、種々改変が可能である。
【００４３】
例えば、本発明は集合住宅の受水槽にも適用できる。
【００４４】
また、使用される忠海セラミックスの量は、実施形態の量に限定されるものではなく、貯水量１立方メートル当たり、１５０ｇないし３００ｇの範囲で適宜調整することができる。
【産業上の利用可能性】
【００４５】
本発明は水処理産業に適用できる。
【符号の説明】
【００４６】
１０          給水システム
１１          上部受水槽
１２，１３    便器
１４          浄化槽
２０          ボックス
２１          パンチングメタル
２２          底部材
２３          蓋
２３ａ        透孔
２４          スタッドボルト
２５          アイナット
３０          冷却水供給システム
３１          空冷式冷却塔
３１ａ        冷却水貯留部
３２          冷却水給水ポンプ
４０          飲料水供給システム
４１          受水槽
４２          高置水槽
４３          給水ポンプ
Ｒ          吸収冷温水機
【図１】
2015055032.tif 000003
【図２】
2015055032.tif 000004
【図３】
2015055032.tif 000005
【図４】
2015055032.tif 000006
【図５】
2015055032.tif 000007
【図７】
2015055032.tif 000008
【図１０】
2015055032.tif 000009
【図６】
2015055032.tif 000010
【図８】
2015055032.tif 000011
【図９】
2015055032.tif 000012
【図１１】
2015055032.tif 000013